(57)【要約】【課題】光ディスクのローディング機構を有するディスク再生装置において、光ディスク以外の異物がローディング機構によって吸込まれてディスク再生装置が破損してしまう虞を低減する。【解決手段】制御部７は、光センサ９からの信号に基づいて光ディスクＤの先端がディスク再生装置１内に挿入されたことを検出したときに、ユーザにパスワードの入力を求めるメッセージ文を表示部８に表示する。ユーザは、リモコン１１の数字キー１４を押下することによってパスワードを入力し、制御部７は、入力されたパスワードが予め記憶されたパスワードと一致するか否かを判定し、両者が一致する場合には、駆動装置６を駆動してローディングローラ５ｂを回転させ、光ディスクＤをディスク再生装置本体４内へ導入する。両者が一致しない場合には、駆動装置６を駆動せず、ローディング機構５は停止したままとなり、光ディスクＤはディスク再生装置本体４内へ導入されない。【選択図】図１
2009099177.tif 000002
【特許請求の範囲】
【請求項１】
光ディスクの記録・再生を行うディスク再生装置本体と、
光ディスクを前記ディスク再生装置本体へ導入するローディング機構と、
前記ローディング機構の駆動装置と、
前記駆動装置の発停を制御する制御部と、を備えるディスク再生装置において、
前記制御部は、
前記ローディング機構に光ディスクの一部、又は全部が保持されたことを検出したときに、ユーザに対してパスワードの入力を促すメッセージを出力するメッセージ出力手段と、
ユーザが入力したパスワードと予め記憶されたパスワードとを比較して、両者が一致するか否かを判定する判定手段と、
前記判定手段によって両者が一致すると判定された場合に、前記駆動装置を駆動開始させるローディング開始手段と、
前記判定手段によって両者が一致しないと判定された場合に、前記駆動装置を駆動開始させないローディング停止手段と、を備えることを特徴とするディスク再生装置。
【請求項２】
前記ローディング機構は、光ディスクの一端を挟持することによって前記ディスク再生装置本体への導入を開始するローディングローラを有することを特徴とする請求項１に記載のディスク再生装置。
【請求項３】
前記ローディング機構は、光ディスクを載置して進退するトレイを有することを特徴とする請求項１に記載のディスク再生装置。
【請求項４】
前記メッセージ出力手段は、液晶パネル、ＣＲＴ等の表示部へ文字メッセージを出力することを特徴とする請求項１乃至請求項３のいずれかに記載のディスク再生装置。
【請求項５】
前記判定手段は、ユーザがリモコンの数字キーを操作することによって入力した複数桁の数字をパスワードとして認識して判定を行うことを特徴とする請求項１乃至請求項４のいずれかに記載のディスク再生装置。
【発明の詳細な説明】
【技術分野】
【０００１】
本発明は、ディスク再生装置に関し、詳しくは光ディスクをディスク再生装置本体へ導入するローディング機構を有するディスク再生装置に関する。
【背景技術】
【０００２】
従来から、ＣＤ−ＲＯＭを用いたゲーム機において、子供の使用を制限するために、正しい暗証番号が入力された場合にのみゲームが開始され、暗証番号が間違って入力された場合にはゲームが開始されないように構成されたものが知られている（例えば、特許文献１参照）。
【０００３】
また、展示用のカーナビゲーション装置において、客が勝手に該装置のエジェクト操作ボタンを操作し、排出された音楽ＣＤや地図データ用ＤＶＤを持ち去ってしまうことを防止するために、暗証番号を入力した上でエジェクト機能の無効を設定したり、解除したりできるように構成されたものが知られている（例えば、特許文献２参照）。
【特許文献１】特開平８−２８７３０９号公報
【特許文献２】特開２００７−５８９９５号公報
【発明の開示】
【発明が解決しようとする課題】
【０００４】
ところで、光ディスクの一端がローディング機構の入口部分に挟持されたことを検知するとローディング機構が自動的にローディング動作を開始して光ディスクをディスク再生装置本体へ導入するいわゆるスロットインタイプのディスク再生装置がある。このスロットインタイプのディスク再生装置では、ユーザがリモコンの操作ボタンを押下する等のローディング動作の開始を更めて指示する必要がなく手間が省けるというメリットを有するが、反面では次のような不都合点を有する。
【０００５】
上記スロットインタイプのディスク再生装置では、ユーザが光ディスクの先端部のみをローディング機構の入口に挿入させるだけで、光ディスクのディスク再生装置本体への導入（いわゆる吸込み動作）、ディスク再生装置本体へ導入した光ディスクの最初の画面の再生動作等の一連の動作が自動的に開始されてしまうために、ユーザが誤って光ディスク以外の異物（例えば、紙切れ、プレート状のプラスチック等）の先端部をローディング機構の入口へ挿入させた場合には、異物がディスク再生装置本体方向へ吸い込まれてしまい、ディスク再生装置が破損したり、異物がローディング機構に詰まる等のトラブルを生じる。特にユーザが子供であった場合には、悪戯によって上記トラブルが生じる虞が高まる。
【０００６】
また、光ディスクに記録されているコンテンツが子供には不向きな内容のものであった場合にも、少なくとも光ディスクの最初の画面が再生されるまでの動作は、自動的に進行するので、子供が偶然に、上記のような不向きなコンテンツが記録されている光ディスクをディスク再生装置へ挿入して該光ディスクの内容を見てしまう虞がある。
【０００７】
そこで、本発明は、光ディスクをディスク再生装置本体へ導入するローディング機構を有するディスク再生装置において、特定のユーザによって正しくパスワードが入力された場合にのみローディング機構の入口に挿入された光ディスクが吸込まれるようにすることによって、異物がディスク再生装置内に進入してディスク再生装置が破損してしまうといったトラブルが生じる虞を低減し、かつ、不特定のユーザ（特に子供）が偶然に不適切なコンテンツを見てしまう虞も低減できるディスク再生装置を提供することを目的とする。
【課題を解決するための手段】
【０００８】
上記目的を達成するために請求項１の発明は、光ディスクの記録・再生を行うディスク再生装置本体と、光ディスクを前記ディスク再生装置本体へ導入するローディング機構と、前記ローディング機構の駆動装置と、前記駆動装置の発停を制御する制御部と、を備えるディスク再生装置において、前記制御部は、前記ローディング機構に光ディスクの一部、又は全部が保持されたことを検出したときに、ユーザに対してパスワードの入力を促すメッセージを出力するメッセージ出力手段と、ユーザが入力したパスワードと予め記憶されたパスワードとを比較して、両者が一致するか否かを判定する判定手段と、前記判定手段によって両者が一致すると判定された場合に、前記駆動装置を駆動開始させるローディング開始手段と、前記判定手段によって両者が一致しないと判定された場合に、前記駆動装置を駆動開始させないローディング停止手段と、を備えることを特徴とする。
【０００９】
請求項２の発明は、請求項１のディスク再生装置において、前記ローディング機構は、光ディスクの一端を挟持することによって前記ディスク再生装置本体への導入を開始するローディングローラを有することを特徴とする。
【００１０】
請求項３の発明は、請求項１のディスク再生装置において、前記ローディング機構は、光ディスクを載置して進退するトレイを有することを特徴とする。
【００１１】
請求項４の発明は、請求項１乃至請求項３のいずれかのディスク再生装置において、前記メッセージ出力手段は、液晶パネル、ＣＲＴ等の表示部へ文字メッセージを出力することを特徴とする。
【００１２】
請求項５の発明は、請求項１乃至請求項４のいずれかのディスク再生装置において、前記判定手段は、ユーザがリモコンの数字キーを操作することによって入力した複数桁の数字をパスワードとして認識して判定を行うことを特徴とする。
【発明の効果】
【００１３】
本発明によれば、ユーザが入力したパスワードが予め記憶されたパスワードに一致する場合にのみローディング機構が動作を開始し、一致しない場合にはローディング機構が動作を開始しないので、特定のユーザのみがディスク再生装置内に光ディスクを導入させることができるようにでき、異物が吸込まれてディスク再生装置が破損してしまうといったトラブルが生じる虞を低減することができる。また、不特定のユーザ（特に子供）が偶然に不適切な光ディスクのコンテンツを見てしまう虞も低減することができる。
【発明を実施するための最良の形態】
【００１４】
（第１の実施形態）
本発明の第１の実施形態に係るディスク再生装置について、図１、２を参照して説明する。本実施形態のディスク再生装置１は、図１に示されるように、筐体２内に収納され光ピックアップ３を介して光ディスクＤの記録・再生を行うディスク再生装置本体４と、ユーザによって筐体２の開口２ａを通して一端が挿入された光ディスクＤをディスク再生装置本体４へ導入するスロットインタイプのローディング機構５と、ローディング機構５の駆動装置６と、駆動装置６の発停を制御する制御部７（メッセージ出力手段、判定手段、ローディング開始手段、ローディング停止手段）と、ディスク再生装置本体４によって再生された画像を表示する表示部８と、を備える。表示部８は、筐体２内に収納された液晶パネル又はＣＲＴ、及び映像信号処理部（不図示）から構成され、本実施形態のディスク再生装置１は、同一の筐体２内に表示部８を有する、いわゆるテレビジョン受像機一体型のディスク装置として構成されている。
【００１５】
ローディング機構５は、筐体２内に挿入された光ディスクＤの先端を上下から挟持する一対のローディングローラ５ａ、５ｂを備え、下側のローディングローラ５ｂが、モータと所定のギヤ群から構成される駆動装置６に連結されて、駆動装置６のモータの発停、及びギヤ群の切替えによって、挟持した光ディスクＤをディスク再生装置本体４内へ導入する方向（図１の矢印Ａ方向）と、ディスク再生装置本体４から排出された光ディスクＤを筐体２の外側へ排出する方向（図１の矢印Ａと反対方向）とに切替えて回転される。
【００１６】
ローディングローラ５ａ、５ｂの近傍には、発光素子９ａと受光素子９ｂとから構成される透過型の光センサ９が備えられ、受光素子９ｂの受光状態を表わす状態信号が制御部７へ入力される。光センサ９からの状態信号は、光ディスクＤが挿入されることによって、発光素子９ａから出射される光ｈが受光素子９ｂへ到達している状態から、光ディスクＤによって遮蔽されることにより受光素子９ｂへ到達しない状態へと変化する。制御部７は、状態信号の上記の変化を検出したときに、ユーザによって光ディスクＤが筐体２内に挿入されたことを検出する。
【００１７】
制御部７は、マイクロプロセッサから構成され、リモコン１１から出力される操作信号ｃｓが赤外線受光部１２を介して入力され、入力された操作信号ｃｓに基づいてディスク再生装置１の各部に種々の動作を行わせる制御信号を出力するように構成されている。リモコン１１は、電源入切キー１３、数字キー１４、及び十字キー１５等の種々の操作キーを有する。例えば、ディスク再生装置本体４内に光ディスクＤが装着されている状態で、ユーザがリモコン１１の再生キーを押下操作すると、該再生キーに相当する操作信号ｃｓが赤外線受光部１２を介して制御部７に入力され、制御部７はディスク再生装置本体４へ光ディスクＤの再生を行わせる制御信号を出力し、光ディスクＤから読出された映像信号が表示部８へ出力され、映像として表示される。
【００１８】
また、制御部７は、キャラクタ発生部１６へメッセージ出力信号ｍｓを出力し、キャラクタ発生部１６から表示部８へと所定の映像信号を出力させ、表示部８にメッセージ文を表示させることができる。メッセージの内容については後述する。
【００１９】
次に、光ディスクＤがディスク再生装置本体４内へ導入されるときの制御部７のローディング処理手順について、図２を参照して説明する。いま、ユーザが光ディスクＤを手で保持しつつ、先端を筐体２の開口２ａ内に挿入した状態（図１参照）を想定する。この状態になると、制御部７は、光センサ９からの状態信号が変化したことを検知することにより、光ディスクＤが挿入されたことを検出する（Ｓ１でＹＥＳ）。このとき、光ディスクＤの先端は、上下のローディングローラ５ａ、５ｂによって緩く挟持されるが、ローディングローラ５ａ、５ｂは回転開始されず、ディスク再生装置本体４内への吸い込み動作は開始されない。
【００２０】
次に、制御部７は、キャラクタ発生部１６へメッセージ出力信号ｍｓを出力し、ユーザにパスワードの入力を求めるメッセージ文（例えば「リモコンを使ってパスワードを入力してください」等）を、表示部８に表示させる（Ｓ２）。
【００２１】
ユーザは、表示部８に表示されたメッセージ文に促されて、リモコン１１の数字キー１４を押下することによって例えば４桁の数字のパスワードを入力する。入力されたパスワードは、一連の操作信号ｃｓとして制御部７に入力される。このとき、ユーザが正しいパスワードを知らない人物（例えば、子供等）である場合には、正しくない適当なパスワードを入力するか、あるいはパスワードの入力を断念してローディング機構５に緩く保持された光ディスクＤを取り去るはずである。従って、正しいパスワードを知らない人物（例えば子供）が光ディスクＤの代わりに異物を挿入しようとしていた場合には、異物のディスク再生装置本体４内への進入が阻止される。
【００２２】
次に、制御部７は、ユーザによって入力されたパスワードが制御部７のＲＯＭ７ａに予め記憶されたパスワードと一致するか否かを判定する（Ｓ３）。ユーザによって入力されたパスワードが制御部７のＲＯＭ７ａに予め記憶されたパスワードと一致する場合には（Ｓ３でＹＥＳ）、制御部７は、駆動装置６のモータを回転させてローディングローラ５ｂを矢印Ａ方向へ回転させ、光ディスクＤをディスク再生装置本体４へ導入する（Ｓ４）。ユーザによって入力されたパスワードが制御部７のＲＯＭ７ａに予め記憶されたパスワードと一致しない場合には（Ｓ３でＮＯ）、制御部７は、駆動装置６のモータを回転させず、ローディング機構５は停止したままとなり、光ディスクＤはディスク再生装置本体４内へ導入されない（Ｓ５）。
【００２３】
従って、正しいパスワードを知らない人物が光ディスクＤをディスク再生装置１へ挿入しようとした場合に、ローディング機構５は動作を開始せず、光ディスクＤはディスク再生装置本体４内へ導入されない。これにより例えば、正しいパスワードを知らない子供が、光ディスクＤを挿入し、該光ディスクＤが自動的にディスク再生装置本体４内に導入されて再生され、偶然に、子供に不向きな光ディスクＤの内容を見てしまうといった従来装置におけるトラブルが生じることが防止される。
【００２４】
（第２の実施形態）
本発明の第２の実施形態に係るディスク再生装置について、図３を参照して説明する。本実施形態のディスク再生装置１は、第１の実施形態とほぼ同一の構成を有し、異なるところは、ローディング機構５がトレイタイプである点と、ディスク再生装置本体４から出力される映像信号がディスク再生装置１とは別体のテレビジョン受像機２１に画像として表示され、メッセージ文が、ディスク再生装置１の筐体２内に設けられた液晶パネルから構成される表示部２２に表示されるように構成された点である。第１の実施形態と同一の構成部分については、同一の番号を付して説明を省略する。
【００２５】
本実施形態のローディング機構２５は、筐体２の開口２ａを通って水平に移動するトレイ２３と、トレイ２３の底面に形成されたラック２３ａに噛合うピニオンギヤ２４と、を備える。ピニオンギヤ２４が駆動装置６によって回転されることによってトレイ２３が筐体２の外側へ突出した状態（図３の実線）と、内側へ退入した状態（図３の二点鎖線）との間で進退移動される。光センサ２９は、発光・受光機能を備える光素子２９ａから構成され、突出状態のトレイ２３の上面に光ディスクＤが載置されていない状態では、光素子２９ａから出射した光ｈが反射されず、光素子２９ａに反射光が入射せず、トレイ２３の上面に光ディスクＤが載置された状態では、光素子２９ａから出射した光ｈが光ディスクＤによって反射されて、光素子２９ａに反射光が入射するように構成されている。光センサ２９は、反射光の有無を状態信号として制御部７へ送信し、制御部７は、光センサ２９からの状態信号に基づいてトレイ２３上に光ディスクＤが載置されたか否かを判定する。
【００２６】
光ディスクＤがトレイ２３上に載置されてディスク再生装置本体４内へ導入されるときの制御部７のローディング処理手順は第１の実施形態と同一であり、図２のＳ３において入力されたパスワードが正しいと判定された場合（Ｓ３でＹＥＳ）には、制御部７は、駆動装置６を駆動してトレイ２３をディスク再生装置１内へ退入させ（Ｓ４）、入力されたパスワードが正しくないと判定された場合（Ｓ３でＮＯ）には、制御部７は、駆動装置６を駆動せず、トレイ２３は、突出した状態を維持する。
【００２７】
なお、ローディング処理手順のＳ２において制御部７が表示部２２にメッセージ文を表示させる動作は、制御部７が表示部２２のドライバ２６へメッセージ出力信号ｍｓを出力し、ドライバ２６が表示部２２を駆動することによって行われる。また、制御部７がメッセージ文を表示させる表示部２２は、ディスク再生装置１とは別体のテレビジョン受像機２１ではないので、テレビジョン受像機２１が電源をオフされていて画像の表示ができない状態であっても、メッセージ文を表示することが可能である。
【００２８】
以上のように、第１、第２の実施形態のディスク再生装置１では、ユーザが入力したパスワードが予め記憶されたパスワードに一致する場合にのみローディング機構５、２５が光ディスクＤの吸込み動作を開始し、一致しない場合にはローディング機構５、２５が動作を開始しないので、特定のユーザのみがディスク再生装置１内に光ディスクＤを導入させることができ、異物が吸込まれてディスク再生装置１が破損してしまうといったトラブルが生じる虞を低減することができる。また、不特定のユーザ（特に子供）が偶然に不適切な光ディスクＤのコンテンツを見てしまう虞を低減することができる。
【図面の簡単な説明】
【００２９】
【図１】本発明の第１の実施形態に係るディスク再生装置のブロック図。
【図２】同ディスク装置におけるローディング処理手順のフローチャート。
【図３】本発明の第２の実施形態に係るディスク再生装置のブロック図。
【符号の説明】
【００３０】
１  ディスク再生装置
４  ディスク再生装置本体
５  ローディング機構
６  駆動装置
７  制御部（メッセージ出力手段、判定手段、ローディング開始手段、ローディング停止手段）
８  表示部
１１  リモコン
１４  数字キー
２２  表示部
２５  ローディング機構
Ｄ  光ディスク
【図１】
2009099177.tif 000003
【図２】
2009099177.tif 000004
【図３】
2009099177.tif 000005